(57)【要約】【課題】耐久性、操作性に優れた位置決め機構部を有する、シャワーヘッドの吐水面を所望の位置に設定できるシャワーヘッド支持装置を提供する。【解決手段】本発明は、手持ち式のシャワーヘッドを保持する保持部材と、該保持部材を横軸に対して回動可能にして、前記シャワーヘッドの吐水面を被洗浄体に対して所望の位置に調節できるようにしたシャワーヘッド支持装置において、保持部材が隣り合う本体部材の内側面に回動可能に組込まれ、本体部材の内部に保持された受け側部品と、該受け側部品に組み込まれ、受け側部品と共に弾性部材によ前記保持部材側に加圧されている柱状部材前記保持部材に形成され前記柱状部材と接触可能な連続した複数の凹溝からなり、保持部材の回動に伴い柱状部材を凹溝の１つに係合させて保持部材を所望の回動位置に位置決めする位置決め部とを有する構造とした。【選択図】　図２
2004108119.tif 000002
【特許請求の範囲】
【請求項１】
手持ち式のシャワーヘッドを保持する保持部材と、該保持部材を壁面に固定する本体部材とを含み、前記シャワーヘッドの吐水方向を所望の位置に調節できるようにしたシャワーヘッド支持装置において、前記本体部材の内部に保持された受け側部品と、該受け側部品に組み込まれ、前記受け側部品と共に弾性部材によって前記保持部材側に付勢されている柱状部材と、前記保持部材に形成された、前記柱状部材と接触可能な連続した複数の凹溝からなり、前記保持部材の回動に伴い前記柱状部材を前記凹溝の１つに係合させて前記保持部材を所望の回動位置に位置決めする位置決め部とを有して構成していることを特徴とするシャワーヘッド支持装置。
【請求項２】
前記柱状部材は前記受け側部品に回動可能に組込まれ、前記受け側部品は前記本体部材の内部に形成された上下のガイド部と左右のガイド部にガイドされ、上下及び左右の動きを拘束された状態で弾性部材の付勢力が加わりながらスライドするように配置されたことを特徴とする請求項１記載のシャワーヘッド支持装置。
【請求項３】
前記柱状部材は、金属製であることを特徴とする請求項１または２記載のシャワーヘッド支持装置。
【請求項４】
前記保持部材に形成された前記複数の全凹溝部の両端面に、切欠部を設けたことを特徴とする請求項１〜３いずれかに記載のシャワーヘッド支持装置。
【請求項５】
前記保持部材は、回動軸と同軸に設けた貫通穴と、該貫通穴に組込まれ、前記保持部材に形成されたテーパ状保持部の側壁面よりも僅かに側壁面内側に突出するように配置された弾性部材により、シャワーヘッド継手部材を両側から挟むようにして押圧し、保持可能な構造にしたことを特徴とする請求項１〜３のいずれかに記載のシャワーヘッド支持装置。
【請求項６】
前記保持部材に形成された前記テーパ状保持部は、前記保持部材の回動軸よりも前方に形成されたことを特徴とする請求項１〜３のいずれかに記載のシャワーヘッド支持装置。
【請求項７】
前記本体部材の前記保持部材と隣接する側の端面部に、本体部内側から外側に向かって保持部材から離れていく方向に傾斜部を付けたことを特徴とする請求項１〜３のいずれかに記載のシャワーヘッド支持装置
【発明の詳細な説明】
【０００１】
【発明の属する技術分野】
本発明は、手持ち式のシャワーヘッドを保持した状態で、シャワーヘッドの吐水面を所望の位置に設定できる、シャワーヘッド支持装置に関するものである。
【０００２】
【従来の技術】
従来の角度調節式シャワーヘッド支持装置は様々な構造が提案されている。
図１２に示すように、従来のシャワーヘッド支持装置は、手持ち式のシャワーヘッドの吐水面側を被洗浄体に対して前後及び左右に回動させて、シャワーヘッドの吐水面を上下方向及び左右方向の所望の向きに向くように位置決めする位置決め機構を有している。
【０００３】
このシャワーヘッド支持装置において、上下方向への位置決め機構の詳細について図６に基づき説明する。シャワーヘッド保持部１００ａを有する第一部材１００と、この第一部材１００を支持する第二部材１０１が回動可能な状態で連結部材１０２によって連結されている。第一部材１００の内部には、弾性部材１０３によって第二部材１０１側へ加圧された状態で球状部材１０４が保持されている。第二部材１０１側には球状部材１０４が加圧されている面、即ち球状部材１０４が接触可能な面に連続した複数の凹溝１０５が形成されている。シャワーヘッド２００をシャワーヘッド保持部１００ａに保持し、第一部材１００を回動させることにより、球状部材１０４を凹溝１０５の１つに係合させ、第一部材１００を所望の回動位置に位置決めすることにより、シャワーヘッドの吐水面を上下方向の所望の向きに向くように位置決めするようになっている。（例えば、特許文献１を参照のこと）
また、上記位置決め構造の他の例としては、図示しないが、球状部材１０４を省略して弾性部材１０３を板ばねとして直接凹溝１０５に加圧しているものなどが提案されている（例えば、特許文献２参照）。
【０００４】
【特許文献１】
特開平８−６０７１８号公報
【特許文献２】
実開昭６３−１２８９７８号公報
【０００５】
【発明が解決しようとする課題】
しかしながらこれら従来技術の位置決め機構では、第一部材内に保持され、弾性部材１０３によって加圧されている球状部材１０４と、第二部材内に形成されている連続した凹溝１０５の接触面が点接触となるため、弾性部材１０３によって加圧された荷重により連続した凹溝１０５が集中荷重を受け、凹溝の間に形成されている凸部１０５ａが摩耗して位置決めのための保持力及び第一部材１００を回動させたときの操作力の耐久性が落ちるという欠点があった。逆に、耐久性を維持させるためには、弾性部材１０３の加圧力を小さくする必要があり、そうすると第一部材の操作力が弱くなり、シャワーを使用中に吐水中の推進力で、第一部材１０３が自然回動するなど、確実な位置決めができないなどの不具合が発生する場合があった。第一部材１００の円滑な摺動性を確保するためには、球状部材１０４の動きにある程度自由度を持たせる必要があり、そのために球状部材１０４に連結し、球状部材１０４を加圧している弾性部材１０３が第一部材１００を回動させると上下に動き、動いた時の反発力で大きく耳障りな操作音が発生する不具合もあった。
また、球状部材１０４を省略して弾性部材１０３を板ばねとして直接凹溝１０５に加圧しているものでも同様の課題があった。
【０００６】
そこで本発明において上記問題点を解決して、耐久性、操作性に優れた位置決め機構部を有する、シャワーヘッドの吐水面を所望の位置に設定できるシャワーヘッド支持装置を提供することである。
シャワーヘッドを保持する保持部材の位置決めのための保持力、ならびに保持部材を回動させたときの操作力の耐久性を向上させたシャワーヘッド保持装置を提供するものである。
さらには、保持部材の回動操作時に大きく耳障りな操作音が発生を低減させたシャワーヘッド保持装置を提供するものである。
【０００７】
【課題を解決するための手段】
本発明の請求項１では、手持ち式のシャワーヘッドを保持する保持部材と、該保持部材を壁面に固定する本体部材とを含み、前記シャワーヘッドの吐水方向を所望の位置に調節できるようにしたシャワーヘッド支持装置において、前記本体部材の内部に保持された受け側部品と、該受け側部品に組み込まれ、前記受け側部品と共に弾性部材によって前記保持部材側に付勢されている柱状部材と、前記保持部材に形成された、前記柱状部材と接触可能な連続した複数の凹溝からなり、前記保持部材の回動に伴い前記柱状部材を前記凹溝の１つに係合させて前記保持部材を所望の回動位置に位置決めする位置決め部とを有して構成していることを特徴とした。
【０００８】
これにより、連続した複数の凹溝に接触する柱状部材とすることで、凹溝への接触面積が大きくなり、弾性部材によって加圧された荷重の集中を防ぐことができる。
そのため、凹溝の間に形成されている凸部が摩耗することなく、位置決めのための保持力及び保持部材を回動させたときの操作力の耐久性が向上する。
なお、荷重の集中を最小限に抑えるには、柱状部材の長さはできるだけ長い方が望ましい。
【０００９】
本発明の請求項２では、前記柱状部材は、前記受け側部品に回動可能に組込まれ、前記受け側部品は前記本体部材の内部に形成された上下のガイド部と左右のガイド部にガイドされ、上下及び左右の動きを拘束された状態で弾性部材の付勢力が加わりながらスライドするように配置するようにした。
【００１０】
これにより、保持部材の回動操作時には、保持部材を付勢している柱状部材が回転するとともに弾性部材の付勢力が加わりながらこの柱状部材と受け側部品がスライドして保持部材の凹溝から次に凹溝へ移動することができる。そのため、弾性部材の上下への動きを抑えることができるので、保持部材の回動操作時に弾性部材の反発力に起因する大きく耳障りな操作音が発生することもない。
【００１１】
本発明の請求項３では、前記柱状部材は金属製であることとした。
これにより、柱状部材は摩耗しないため、シャワーヘッド保持力及び操作力の耐久性が向上する。
なお、保持部材については、柱状部材とは別素材からなる耐摩耗性に優れた樹脂材で成形しておくとさらによい。このようにすることで、保持部材に複数形成された凹溝も殆ど摩耗しないため、さらにシャワーヘッド保持力及び操作力の耐久性が向上する。
【００１２】
本発明の請求項４では、前記保持部材に形成された複数の全凹溝部の両端面に、切欠部を設けた構成とした。
これにより、凹溝に溜り水や水垢、石鹸カス等が滞留しないようにすることで保持部材の摺動の妨げになるのを防ぐようにした。
【００１３】
本発明の請求項５では、前記保持部材は、回動軸と同軸に設けた貫通穴と、該貫通穴に組込まれ、保持部材に形成されたテーパ状保持部の側壁面よりも僅かに内側に突出するように配置された弾性部材により、シャワーヘッド継手部材を両側から挟むように押圧し、保持可能な構造にした。
これにより、シャワーヘッドからの吐水、止水を繰返した場合やシャワーの使用範囲を超えた流量で吐水した場合でもシャワーヘッドが保持部より飛出したり、回転したりすることがない。
【００１４】
本発明の請求項６では、前記保持部材に形成されたテーパ状保持部は、保持部材の回動軸よりも前方に形成した。
これにより、シャワーヘッドを保持部に納めるとき、シャワーヘッドの継手部が本体部に当たらないようになるので、本体部に施されためっきや塗装が剥がれたり捲れたりして、外観品位が低下するなどの心配もない。
【００１５】
本発明の請求項７では、前記本体部材の、保持部材と隣接する側の端面部に、本体部内側から外側に向かって保持部材から離れていく方向に傾斜部を付けた。これにより、本体内部を隠して外観品位を維持しつつ、シャワーヘッドの継手が該本体端面部に当たらないようにできるので、本体部に施されためっきや塗装が剥がれたり捲れたりして、外観品位が低下するなどの心配もない。
【００１６】
【発明の実施の形態】
以下に図面を参照して本発明をより具体的に説明する。
図１は保持部材１６と本体部材１３の取付け部を一部断面にした上面図、図２は保持部材の凹溝１６ｄ側の側面図、図３はシャワーヘッド支持装置５０全体の断面図（図１のＡ−Ａ断面図）、図４はシャワーヘッド支持装置５０にシャワーヘッド２３ａを保持させた状態の断面図、図５は保持部材１６側から見た外観側面図、図６は壁面固定板１０側から見た外観側面図、図７は柱状部材２１、受け側部品２０、弾性部材１４を分解した分解斜視図、図８は本体部材１３の側面図、図９は保持部材の側面図、図１０は保持部材の上面図、図１１は座金１８の正面図と中央断面図である。
【００１７】
図１、３に示すように、シャワーヘッド支持装置５０は、壁面固定板１０を介在させて壁面Ａに固定されている。
まず、壁面Ａに壁面固定板１０を壁固定用のタッピンねじ１１で強固に固定する。なお、壁面と壁面固定板の間にパッキン１２を介在させ、壁面Ａの裏側への水浸入を防止している。
次に、壁面固定板１０には、シャワーヘッド保持機構ユニット６０が壁面固定板１０の上部から壁面Ａに平行にスライドさせて固定されている。
【００１８】
図６に示すように、壁面固定板１０の上面に設けた２箇所の突起部１０ａと壁面Ａとの隙間ならびに中央側壁部１０ｂに設けた固定リブ１０ｃと壁面Ａとの隙間に、本体部材１３の後面に設けてある上部突起１３ａと、中央部突起１３ｂと、弾性部材１４の収納部１５に連なる後面側壁部１５ａとを差し込むようにして固定保持されている。
さらに、図３、６に示すように、本体部材１３の後面に設けてある上部突起１３ａの内側に設けた切欠部１３ｃが、壁面固定板１０の上面突起１０ａの間に設けた固定爪部１０ｄに嵌合することにより、シャワーヘッド支持機構ユニット６０が壁面固定板１０より容易に外れないようにしている。
【００１９】
この固定方法により、シャワーヘッド支持機構ユニット６０は壁面固定板１０に強固に固定され、故にシャワーヘッド支持装置５０は壁面Ａに強固に固定される。
また、この固定方法によって、壁面固定板１０を固定しているタッピンねじ１１がシャワーヘッド支持機構ユニット６０によって隠れるので、意匠性が向上し、更にシャワーヘッド支持機構ユニット６０の補修、交換の際は壁面Ａにねじ込んだタッピンねじ１１を外すことなくユニットのみ交換できるので、保全作業が簡単なシャワーヘッド支持装置５０を提供できるのである。
【００２０】
なお、シャワーヘッド保持機構ユニット６０は、本体部材１３と保持部材１６と座金１８とタッピングねじ１９とカバー２４と受け側部品２０と柱状部材２１と弾性部材１４、２２とから構成されている。
【００２１】
次に、シャワーヘッド位置決め機構の構造を簡単に説明する。
図９に示すように、シャワーヘッド保持部材１６には、回動軸となる突起１６ａを両側面中央に設けている。そして、この突起１６ａを、図８に示す本体部材１３の固定部１３ｄの中央部に設けた切欠１３ｅに嵌め込む。
なお、図１０に示すように、突起１６ａの上面の約半分については、本体部材１３への嵌め込み方向に向かって傾斜したカット部１６ｂを設けているので、本体部材１３への組付けが容易である。
そして、本体部材１３の外側から内側に向かって設けた凹面１３ｆに、図１１に示すＯリング１７を組み込んだ座金１８を当接させ、座金１８に設けた貫通穴１８ａと保持部材１６の側面に設けた２箇所の突起１６ｊ内に開けた穴１６ｃを連通させて、タッピンねじ１９で保持部材１６と座金１８にて本体部材１３を挟むようにして固定している。
なお、保持部材１６を横軸となる突起１６ａに対して回動させると、固定したＯリング１７、座金１８、タッピンねじ１９も追随して回動する。
さらに、本体部材１３に設けた２箇所の長楕円状の切欠１３ｇに、座金１８に設けた２箇所の突起１８ｂが当接して保持部材１６の回動が規制される。
またＯリング１７の本体凹面１３ｆへの押圧力を変えることにより、保持部材１６の回動操作力及び回動操作音の調節に寄与することができる。
【００２２】
さらに、保持部材１６を本体部材１３に取付ける前に予め本体部材１３の内部に受け側部品２０と受け側部品２０に設けた凹溝部２０ａに柱状部材２１を弾性部材１４を介在させて回動フリーで組み込みつけておく。
これにより、受け側部品２０及び柱状部材２１は本体部材１３の収納部１５に配置した弾性部材１４によって保持部材１６側に一定の荷重で付勢することができる。
また、受け側部品２０は本体部材１３の内部に設けた上下ガイド部１５ａ、１５ｂ及び内側側面部１５ｃ、１５ｄにより、上下及び左右の動きが拘束されて組付けられている。
【００２３】
保持部材１６には柱状部材２１と接触する面に複数の凹溝１６ｄを形成している。
保持部材１６を回動させると、柱状部材２１が凹溝１６ｄの１つに係合し保持部材１６を所望の位置に位置決めすることができ、好みの位置にシャワーの散水角度を設定できる。
１つの溝から次の溝へ柱状部材２１が乗越える時に、弾性部材１４が圧縮され、付勢力が最大となる。
この最大の付勢力により溝と溝の間に形成されている突起部１６ｅで、材料の許容面圧を超えないようにするには、柱状部材２１はできるだけ長くする。
柱状部材２１の長さは、好ましくは保持部材１６の幅の５０％以上の長さとする。さらに好ましくは８０％以上とする。
また、図３に示すように、受け側部品２０は上下、左右の動きを拘束されているので、保持部材１６を回動しても、弾性部材１４が上下、左右に動かないので、回動時の大きな音や、耳障りな音が発生することはない。
【００２４】
さらに、図２に示すように、保持部材１６に形成された複数の全凹溝１６ｄの両端面には、切欠部１６ｆを設け、凹溝１６ｄに溜り水や水垢、石鹸カス等が滞留しないようにすることで保持部材１６の摺動の妨げになるのを防ぐようにした。
そして、図１、３に示すように、保持部材１６には回動軸１６ａと同軸に設けた貫通穴１６ｇに弾性部材２２を組込んでいる。
この弾性部材２２は保持部材１６に形成されたテーパ状保持部１６ｈの側壁面１６ｉよりも僅かに内側に突出するように配置し、弾性部材２２で挟み込むようにシャワーヘッド継手部材２３を押圧し、保持可能な構造にしている。
シャワーヘッド２３ａからの吐水、止水を繰返した場合やシャワーの使用範囲を超えた流量で吐水した場合でもシャワーヘッド２３ａが保持部１６より飛出したり、回転したりしないようにした。
【００２５】
また、図３に示すように、保持部材１６に形成されたテーパ状保持部１６ｈの軸は、保持部材１６の回動軸１６ａよりも前方に形成することにより、シャワーヘッド２３ａを保持部材１６に納めるとき、保持部材１６のできる限り前方で保持できるようにしている。つまり、本体部材１３で保持部材１６の凹溝１６ｄを見えないように覆って、意匠性を高めるとともに、保持部材１６にシャワーヘッド２３ａを保持させた状態で角度調整させても、シャワーヘッド２３ａの継手部材２３が本体部材１３に当たるおそれが低減できるのである。
図４に示すように、本体部材１３の、保持部材１６と隣接する側の端面部１３ｈに、本体部内側から外側に向かって保持部材１６から離れていく方向に傾斜部１３ｉを付けた。本体内部を隠して外観品位を維持しつつ、シャワーヘッド２３ａの継手部材２３が該本体端面部１３ｈに当たらないようにした。
【００２６】
【発明の効果】
手持ち式のシャワーヘッドを保持する保持部材と、該保持部材を横軸に対して回動可能にして、前記シャワーヘッドの吐水面を被洗浄体に対して所望の位置に調節できるようにしたシャワーヘッド支持装置において、保持部材が隣り合う本体部材の内側面に回動可能に組込まれ、本体部材の内部に保持された受け側部品と、該受け側部品に組み込まれ、受け側部品と共に弾性部材によ前記保持部材側に加圧されている柱状部材と、前記保持部材に形成され前記柱状部材と接触可能な連続した複数の凹溝からなり、保持部材の回動に伴い柱状部材を凹溝の１つに係合させて保持部材を所望の回動位置に位置決めする位置決め部とを有する構造としたので、凹溝への接触面積が大きくなり、弾性部材によって加圧された荷重の集中を防ぐことができ、凹溝の間に形成されている凸部が摩耗することなく、位置決めのための保持力及び保持部材を回動させたときの操作力の耐久性が向上する。
【００２７】
また、柱状部材は受け側部品に回転可能に組込まれ、前記受け側部品は前記本体部材の内部に形成された上下のガイド部と左右のガイド部にガイドされ、上下及び左右の動きを拘束された状態で配置するようにしたことで、弾性部材の上下への動きを抑えることができるので、保持部材の回動操作時に弾性部材の反発力に起因する大きく耳障りな操作音が発生することもない。
【００２８】
更に柱状部材を金属製としたので、柱状部材は摩耗せず、シャワーヘッド保持力及び操作力の耐久性が更に向上する。
【００２９】
保持部材に形成された複数の全凹溝の両端面には切欠部を設けたので、凹溝に溜り水や水垢、石鹸カス等が滞留しないようになり、保持部材の摺動の妨げになるのを防ぐようにした。
【００３０】
また、保持部材には回動軸と同軸に設けた貫通穴と、該貫通穴に組込まれ、保持部材に形成されたテーパ状保持部の側壁面よりも僅かに側壁面内側に突出するように配置された弾性部材を組込んだので、該弾性部材で挟み込むようにシャワーヘッド継手部材を押圧し、保持可能となり、シャワーヘッドからの吐水、止水を繰返した場合やシャワーの使用範囲を超えた流量で吐水した場合でもシャワーヘッドが保持部より飛出したり、回転したりするようなことがない。
【００３１】
また、保持部材に形成されたテーパ状保持部は、保持部材の回動軸よりも前方に形成したので、シャワーヘッドを保持部に納めるとき、シャワーヘッドの継手部が本体部に当たらないようになり、本体部に施されためっきや塗装が剥がれたり捲れたりして、外観品位が低下するなどの心配もない。
【００３２】
更には、本体部材の、保持部材と隣接する側の端面部に、本体部内側から外側に向かって保持部材から離れていく方向に傾斜部を付けたので、本体内部を隠して外観品位を維持しつつ、シャワーヘッドの継手が該本体端面部に当たらないようになり、本体部に施されためっきや塗装が剥がれたり捲れたりして、外観品位が低下するなどの心配もない。
【図面の簡単な説明】
【図１】保持部材と本体部材の取付け部を一部断面にした上面図
【図２】保持部材の凹溝側の側面図
【図３】シャワーヘッド支持装置全体の断面図
【図４】シャワーヘッド支持装置５０にシャワーヘッド２３ａを保持させた状態の断面図
【図５】保持部側から見た外観側面図
【図６】壁面固定板側から見た外観側面図
【図７】柱状部材、受け側部品、弾性部材を分解した分解斜視図
【図８】本体部材の側面図
【図９】保持部材の側面図
【図１０】保持部材の上面図
【図１１】座金の正面図と中央断面図
【図１２】従来のシャワーヘッド支持装置の位置決め機構を示す断面図
【符号の説明】
１０・・・壁面固定板
１０ａ・・・突起部
１０ｂ・・・中央側壁部
１０ｃ・・・固定リブ
１０ｄ・・・固定爪部
１１・・・タッピンねじ
１２・・・パッキン
１３・・・本体部材
１３ａ・・・上部突起
１３ｂ・・・中央部突起
１３ｃ・・・切欠部
１３ｄ・・・固定部
１３ｅ・・・切欠
１３ｆ・・・本体凹面
１３ｇ・・・長楕円上切欠
１３ｈ・・・本体端面部
１３ｉ・・・傾斜部
１４・・・弾性部材
１５・・・収納部
１５ａ・・・後面側壁部
１６・・・保持部材
１６ａ・・・突起
１６ｂ・・・カット部
１６ｃ・・・穴
１６ｄ・・・凹溝
１６ｅ・・・突起部
１６ｆ・・・切欠部
１６ｇ・・・貫通穴
１６ｈ・・・テーパ状保持部
１６ｉ・・・側壁面
１７・・・Ｏリング
１８・・・座金
１８ａ・・・貫通穴
１８ｂ・・・突起
１９・・・タッピンねじ
２０・・・受け側部品
２０ａ・・・凹溝部
２１・・・柱状部材
２２・・・弾性部材
２３・・・継手部材
２３ａ・・・シャワーヘッド
５０・・・シャワーヘッド支持装置
６０・・・シャワーヘッド支持機構ユニット
１００・・・第一部材
１００ａ・・・シャワーヘッド保持部
１０１・・・第二部材
１０２・・・連結部材
１０３・・・弾性部材
１０４・・・球状部材
１０５・・・凹溝
【図１】
2004108119.tif 000003
【図２】
2004108119.tif 000004
【図３】
2004108119.tif 000005
【図４】
2004108119.tif 000006
【図５】
2004108119.tif 000007
【図６】
2004108119.tif 000008
【図７】
2004108119.tif 000009
【図８】
2004108119.tif 000010
【図９】
2004108119.tif 000011
【図１０】
2004108119.tif 000012
【図１１】
2004108119.tif 000013
【図１２】
2004108119.tif 000014